(57)【要約】【課題】電源回路に定電圧を供給する電源装置の負荷を軽減する。【解決手段】第一の電源回路２３および第二の電源回路２４は、電源装置２６から供給される定電圧Ｖｃｃによって駆動電圧を発生する。コントローラ２２は、第一の走査電極ドライバ２および第一の信号電極ドライバ３に、第一の液晶セル１の走査電極および信号電極の電位をを切り替えさせる。そして、第一の液晶セル１における電位切替タイミングとずらすようにして、第二の走査電極ドライバ１２および第二の信号電極ドライバ１３に、第二の液晶セル１１の走査電極および信号電極の電位をを切り替えさせる。【選択図】　図１
2004013121.tif 000002
【特許請求の範囲】
【請求項１】
複数の走査電極と複数の信号電極との間に少なくとも二つの安定状態を呈するメモリ性液晶を有する液晶セルが複数備えられ、複数の電圧出力端子を有する走査電極ドライバが複数備えられ、複数の電圧出力端子を有する信号電極ドライバが複数備えられ、各液晶セルの個々の走査電極は対応する走査電極ドライバの各電圧出力端子と一対一に接続され、各液晶セルの個々の信号電極は対応する信号電極ドライバの各電圧出力端子と一対一に接続されてなる液晶表示装置の駆動方法であって、
各走査電極ドライバが共通の選択期間でそれぞれ対応する液晶セルの走査電極を選択しながら、各液晶セルの表示をいったん所定の基本状態にしてから表示データを書き込むように駆動し、
前記選択期間をＴｓ（ｍｓ）とし、一つの液晶セルの表示を前記基本状態にし始めてから表示データの書き込みを完了するまでの期間に前記一つの液晶セルの走査電極を選択する回数をＱとし、ｋを０以上Ｑ−１以下の整数とし、それぞれの液晶セルにおける選択走査電極を切り替えるタイミングと、他の液晶セルにおける選択走査電極を切り替えるタイミングとの間の時間差をＤ（ｍｓ）とすると、下記式１を満足する
ことを特徴とする液晶表示装置の駆動方法。
ｋ×Ｔｓ＋０．０２ｍｓ≦Ｄ≦（ｋ＋１）×Ｔｓ−０．０２ｍｓ　（式１）
【請求項２】
積層する液晶セルの数をＳ個としたときに、時間差はＴｓ／Ｓ（ｍｓ）である請求項１に記載の液晶表示装置の駆動方法。
【請求項３】
複数の走査電極と複数の信号電極との間に少なくとも二つの安定状態を呈するメモリ性液晶を有する液晶セルが複数備えられ、複数の電圧出力端子を有する走査電極ドライバが複数備えられ、複数の電圧出力端子を有する信号電極ドライバが複数備えられ、各液晶セルの個々の走査電極は対応する走査電極ドライバの各電圧出力端子と一対一に接続され、各液晶セルの個々の信号電極は対応する信号電極ドライバの各電圧出力端子と一対一に接続されてなる液晶表示装置の駆動方法であって、
各走査電極ドライバが共通の選択期間でそれぞれ対応する液晶セルの走査電極を選択しながら、各液晶セルの表示をいったん所定の基本状態にしてから表示データを書き込むように駆動し、
個々の液晶セルでは選択した走査電極の電位と信号電極の電位との高低関係を選択期間内で逆転させ、
前記高低関係を逆転させる周期をＴｃ（ｍｓ）とし、一つの液晶セルの表示を前記基本状態にし始めてから表示データの書き込みを完了するまでの期間における前記周期の数をＲとし、ｋを０以上Ｒ−１以下の整数とし、それぞれの液晶セルにおける選択走査電極を切り替えるタイミングと、他の液晶セルにおける選択走査電極を切り替えるタイミングとの間の時間差をＤ（ｍｓ）とすると、下記式２を満足する
ことを特徴とする液晶表示装置の駆動方法。
ｋ×Ｔｃ＋０．０２ｍｓ≦Ｄ≦（ｋ＋１）×Ｔｃ−０．０２ｍｓ　（式２）
【請求項４】
積層する液晶セルの数をＳ個としたときに、時間差はＴｃ／Ｓ（ｍｓ）である請求項３に記載の液晶表示装置の駆動方法。
【請求項５】
複数の走査電極と複数の信号電極との間に少なくとも二つの安定状態を呈するメモリ性液晶を有する液晶セルが複数備えられ、複数の電圧出力端子を有する走査電極ドライバが複数備えられ、複数の電圧出力端子を有する信号電極ドライバが複数備えられ、各液晶セルの個々の走査電極は対応する走査電極ドライバの各電圧出力端子と一対一に接続され、各液晶セルの個々の信号電極は対応する信号電極ドライバの各電圧出力端子と一対一に接続されてなる液晶表示装置の駆動方法であって、
複数の液晶セルを複数のグループに分け、同じグループに属する液晶セルの走査電極および信号電極の電位の切り替えを同時に行い、
各走査電極ドライバが共通の選択期間でそれぞれ対応する液晶セルの走査電極を選択しながら、各液晶セルの表示をいったん所定の基本状態にしてから表示データを書き込むように駆動し、
前記選択期間をＴｓ（ｍｓ）とし、一つの液晶セルの表示を前記基本状態にし始めてから表示データの書き込みを完了するまでの期間に前記一つの液晶セルの走査電極を選択する回数をＱとし、ｋを０以上Ｑ−１以下の整数とし、それぞれのグループにおける選択走査電極を切り替えるタイミングと、他のグループにおける選択走査電極を切り替えるタイミングとの間の時間差をＤ（ｍｓ）とすると、下記式１を満足する
ことを特徴とする液晶表示装置の駆動方法。
ｋ×Ｔｓ＋０．０２ｍｓ≦Ｄ≦（ｋ＋１）×Ｔｓ−０．０２ｍｓ　（式１）
【請求項６】
グループの数をＰ個としたときに、時間差はＴｓ／Ｐ（ｍｓ）である請求項５に記載の液晶表示装置の駆動方法。
【請求項７】
複数の走査電極と複数の信号電極との間に少なくとも二つの安定状態を呈するメモリ性液晶を有する液晶セルが複数備えられ、複数の電圧出力端子を有する走査電極ドライバが複数備えられ、複数の電圧出力端子を有する信号電極ドライバが複数備えられ、各液晶セルの個々の走査電極は対応する走査電極ドライバの各電圧出力端子と一対一に接続され、各液晶セルの個々の信号電極は対応する信号電極ドライバの各電圧出力端子と一対一に接続されてなる液晶表示装置の駆動方法であって、
複数の液晶セルを複数のグループに分け、同じグループに属する液晶セルの走査電極および信号電極の電位の切り替えを同時に行い、
各走査電極ドライバが共通の選択期間でそれぞれ対応する液晶セルの走査電極を選択しながら、各液晶セルの表示をいったん所定の基本状態にしてから表示データを書き込むように駆動し、
個々の液晶セルでは選択した走査電極の電位と信号電極の電位との高低関係を選択期間内で逆転させ、
前記高低関係を逆転させる周期をＴｃ（ｍｓ）とし、一つの液晶セルの表示を前記基本状態にし始めてから表示データの書き込みを完了するまでの期間における前記周期の数をＲとし、ｋを０以上Ｒ−１以下の整数とし、それぞれのグループにおける選択走査電極を切り替えるタイミングと、他のグループにおける選択走査電極を切り替えるタイミングとの間の時間差をＤ（ｍｓ）とすると、下記式２を満足する
ことを特徴とする液晶表示装置の駆動方法。
ｋ×Ｔｃ＋０．０２ｍｓ≦Ｄ≦（ｋ＋１）×Ｔｃ−０．０２ｍｓ　（式２）
【請求項８】
グループの数をＰ個としたときに、時間差はＴｃ／Ｐ（ｍｓ）である請求項７に記載の液晶表示装置の駆動方法。
【発明の詳細な説明】
【０００１】
【発明の属する技術分野】
本発明は、複数のメモリ性液晶セルが積層された液晶表示装置の駆動方法に関する。
【０００２】
【従来の技術】
現在、ＴＮ、ＳＴＮ、ＴＦＴ液晶を備えた液晶表示装置が広く使用されている。これらの液晶表示装置は、所定の駆動を常時行って表示を行う。これに対し、コレステリック液晶またはカイラルネマチック液晶等のメモリ性液晶が注目され、それを備えた液晶表示装置が提案されている。
【０００３】
一対の平行基板間に挟持されたメモリ性液晶は、その液晶ディレクタが一定周期でねじれた「ねじれ構造」を有する。そのねじれの中心軸（以下、ヘリカル軸という。）が基板に対して平均的に垂直方向になる配列が存在する。複数の液晶ドメインの各ヘリカル軸の平均的な方向が基板面に対してほぼ垂直となる状態をプレナー状態という。プレナー状態では、入射光のうちの、液晶層のねじれの向きに対応した円偏光を選択反射する。選択反射波長λは、液晶組成物の平均屈折率ｎと液晶組成物のピッチｐの積にほぼ等しい（λ＝ｎ・ｐ）。従って、ピッチｐは、ｐ＝λ／ｎとなる。
【０００４】
選択反射を呈するプレナー状態に対して、複数の液晶ドメインのヘリカル軸が基板面に対してランダム方向または非垂直方向に配列したフォーカルコニック状態をとることもできる。一般的に、フォーカルコニック状態の液晶層は全体として弱い散乱状態を示し、選択反射時のように特定の波長の光を反射することはない。液晶セルの裏面側に吸収層を設ければ、フォーカルコニック状態のときに吸収層の色の表示が得られる。
【０００５】
また、フォーカルコニック状態およびプレナー状態は、電界が印加されていないときでも安定である。従って、その性質を利用して、メモリ型の液晶表示装置を実現することができる。
【０００６】
次に、液晶表示装置の駆動法について説明をする。メモリ性液晶が備えられた液晶表示装置を駆動する場合、液晶層の両側に位置する電極の電位を所定値に設定して、フォーカルコニック状態に移行させる電圧またはプレナー状態に移行させる電圧をメモリ性液晶に印加する。メモリ性液晶では、一連の印加電圧波形の実効値が電圧消去後の状態を直接決定するのではなく、電圧消去後の表示は、直前に印加された電圧パルスの印加時間および振幅値に依存する。フォーカルコニック状態からプレナー状態に移行させる場合には、液晶分子が電圧印加方向にほぼ平行になるホメオトロピック状態を経由するので、最も高い電圧が必要とされる。
【０００７】
１層の液晶セルを有する液晶表示装置では、メモリ性液晶の二つの状態（プレナー状態およびフォーカルコニック状態）によって２色の表示を行うことができる。そして、選択反射波長が異なる複数の液晶セルを積層することで、表示する色の種類を増やすことができる。
【０００８】
ｐ＝λ／ｎであるので、複数の液晶セルを積層して液晶表示装置を形成する場合、各液晶セルにおける選択反射波長や平均屈折率が異なれば各液晶セルにおけるピッチも異なる。また、セルギャップをｄとし、メモリ性液晶をプレナーに移行させる電圧をＶｔｈとすると、ｄ／ｐ∝Ｖｔｈ（すなわちｎ・ｄ／λ∝Ｖｔｈ）という関係が成立する。複数の液晶セルを積層する場合に、各液晶セルのセルギャップが同一の値とされていると、各液晶セルで駆動電圧は異なる。従って、各液晶セルには、それぞれ一つの電源回路が設けられている。ただし、供給される電圧を分圧する抵抗部と、分圧した電圧が入力される複数の演算増幅器との組み合わせを一組のみ備える電源回路を、一つの電源回路として数える。
【０００９】
図７は、二つの液晶セルが積層された液晶表示装置を示す説明図である。第一の液晶セル２０１は、第一の走査電極ドライバ２０２および第一の信号電極ドライバ２０３によって駆動される。第二の液晶セル２１１は、第二の走査電極ドライバ２１２および第二の信号電極ドライバ２１３によって駆動される。第一の走査電極ドライバ２０２および第一の信号電極ドライバ２０３と、第二の走査電極ドライバ２１２および第二の信号電極ドライバ２１３は、それぞれ、重なるように配置される第一の液晶セル２０１および第二の液晶セル２１１の走査電極を同時に選択しながら駆動する。
【００１０】
液晶表示装置の駆動装置は、各液晶セルに応じた駆動電圧を供給する電源回路を有する。図８は、駆動電圧を供給する電源回路を示す説明図である。第一の電源回路２２１は第一の液晶セル２０１の駆動電圧Ｖ０〜Ｖ５を供給し、第二の電源回路２２２は第二の液晶セル２１１の駆動電圧Ｖ０’〜Ｖ５’を供給する。第一の電源回路２２１および第二の電源回路２２２は、一つの電源装置２２３によって定電圧Ｖｃｃを供給される。定電圧Ｖｃｃの出力端にはコンデンサ２２４が設けられる。第一の電源回路２２１は、定電圧Ｖｃｃから第一の液晶セル２０１の駆動電圧Ｖ０〜Ｖ５を発生し、第一の走査電極ドライバ２０２や第一の信号電極ドライバ２０３に出力する。第二の電源回路２２２は、定電圧Ｖｃｃから第二の液晶セル２１１の駆動電圧Ｖ０’〜Ｖ５’を発生し、第二の走査電極ドライバ２１２や第二の信号電極ドライバ２１３に出力する。なお、第一の電源回路２２１は駆動電圧Ｖ０〜Ｖ５の各出力端にコンデンサ（図示せず。）を備える。同様に、第二の電源回路２２２も駆動電圧Ｖ０’〜Ｖ５’の各出力端にコンデンサ（図示せず。）を備える。
【００１１】
図９（ａ）は、第一の走査電極ドライバ２０２が第一の液晶セル２０１を駆動するときの駆動波形および、第一の信号電極ドライバ２０３が第一の液晶セル２０１を駆動するときの駆動波形の例である。表示を書き込むときには、まず全ての画素がオン表示となるように走査電極および信号電極を駆動する。この期間をリセット期間と記す。リセット期間後、表示データに対応する電圧を印加するように走査電極および信号電極を駆動する。この期間を表示書き込み期間と記す。選択された走査電極には電圧Ｖ０，Ｖ５が交互に印加され、選択されていない走査電極には電圧Ｖ４，Ｖ１が交互に印加される。また、リセット期間中、信号電極には電圧Ｖ５，Ｖ０が交互に印加される。表示書き込み期間中、信号電極には、表示データに応じて電圧Ｖ５，Ｖ０または電圧Ｖ３，Ｖ２が交互に印加される。各電圧Ｖ０〜Ｖ５は、Ｖ５−Ｖ４＝Ｖ１−Ｖ０＝Ｖ４−Ｖ３＝Ｖ２−Ｖ１となるように設定される。
【００１２】
リセット期間中、選択された行の画素のメモリ性液晶には、オン表示にするための電圧としてＶ５−Ｖ０が印加される。そして、電圧印加終了後、メモリ性液晶はプレナー状態に移行し、オン表示となる。リセット期間中、選択されていない行の画素のメモリ性液晶には、Ｖ５−Ｖ４，Ｖ１−Ｖ０が印加されるが、表示状態は変化しない。表示書き込み期間中、選択された行の画素のメモリ性液晶には、表示データに対応して、オン表示にするための電圧またはオフ表示にするための電圧が印加される。オン表示にするための電圧はＶ５−Ｖ０であり、オフ表示にするための電圧はＶ３−Ｖ０，Ｖ５−Ｖ２である。表示書き込み期間中、選択されていない行の画素のメモリ性液晶には、Ｖ５−Ｖ４，Ｖ１−Ｖ０，Ｖ４−Ｖ３，Ｖ２−Ｖ１が印加されるが、表示状態は変化しない。
【００１３】
図９（ｂ）は、第二の走査電極ドライバ２１２が第二の液晶セル２１１を駆動するときの駆動波形および、第二の信号電極ドライバ２１３が第二の液晶セル２１１を駆動するときの駆動波形の例である。第二の走査電極ドライバ２１２および第二の信号電極ドライバ２１３は、第一の走査電極ドライバ２０２および第一の信号電極ドライバ２０３と同様に走査電極および信号電極を駆動する。ただし、走査電極や信号電極に印加する電圧Ｖ０’〜Ｖ５’の組み合わせは、電圧Ｖ０〜Ｖ５の組み合わせとは異なる。各液晶セルに対応する走査電極ドライバおよび信号電極ドライバは、重なるように配置される各液晶セルの走査電極を同時に選択しながら、各液晶セルの画素をオン表示にし、その後、所望の画像を表示する。従って、図９に示すように、第一の液晶セル２０１の走査電極および信号電極の電位と、第二の液晶セル２１１の走査電極および信号電極の電位は、同時に切り替わる。
【００１４】
【発明が解決しようとする課題】
このような液晶表示装置では、第一の走査電極ドライバ２０２および第一の信号電極ドライバ２０３には第一の電源回路２２１から駆動電圧が供給され、第二の走査電極ドライバ２１２および第二の信号電極ドライバ２２３には第二の電源回路２２１から駆動電圧が供給される。そして、各液晶セルに対応する走査電極ドライバおよび信号電極ドライバは、同時に各液晶セルの走査電極を選択しながら液晶セルを駆動する。その結果、第一の電源回路２２１および第二の電源回路２２２に定電圧Ｖｃｃを供給する電源装置２２３の負荷が大きくなってしまうという問題があった。
【００１５】
図１０は、電源装置２２３の負荷を示す説明図である。第一の走査電極ドライバ２０２や第一の信号電極ドライバ２０３が走査電極や信号電極の電位を切り替えると、電源装置２２３が供給する定電圧Ｖｃｃは図１０（ａ）に示すようにスパイク状に減少する。従って、図９（ａ）に示す駆動波形における電位が切り替わるタイミングで、図１０（ａ）に示す電圧変化が生じる。第二の走査電極ドライバ２１２や第二の信号電極ドライバ２１３が走査電極や信号電極の電位を切り替える場合も同様に定電圧Ｖｃｃが変化する（図１０（ｂ））。走査電極や信号電極の電位の切り替えは各液晶セルで同時に行うので、図１０（ｃ）に示すように定電圧Ｖｃｃの変化が大きくなってしまう。すなわち、電源装置２２３の負荷が大きくなってしまう。
【００１６】
そのため、定電圧Ｖｃｃが一時的に下がってしまうことを考慮して予め定電圧Ｖｃｃを高めに設定したり、定電圧Ｖｃｃの出力端のコンデンサ２２４の容量を大きくする必要があった。また、電源装置を選定しにくくなっていた。
【００１７】
また、スパイク状に定電圧Ｖｃｃが減少すると、定電圧Ｖｃｃに戻るときにオーバシュートが生じる。すなわち、図１１に示すように、定電圧Ｖｃｃに戻るときに一時的に電源装置２２３が供給する電圧がＶｃｃを越えてしまう。定電圧Ｖｃｃがスパイク状に減少する変化量Ｖｓｐｉｋｅが大きくなると、オーバシュートも大きくなる。そのため、変化量Ｖｓｐｉｋｅが大きくなると、オーバシュートによる無駄な電流が流れてしまう。
【００１８】
また、ｎ・ｄ／λ∝Ｖｔｈという関係を利用して、各液晶セルでメモリ性液晶をプレナーに移行させる電圧Ｖｔｈを共通にするようにセルギャップを調整する場合がある。この場合、各液晶セルに対応する走査電極ドライバ等に共通の電源回路から共通の駆動電圧を出力することができる。このように電源回路を共通化したとしても同様の問題が生じる。すなわち、一つの電源回路から各走査電極ドライバや各信号電極ドライバに共通の駆動電圧Ｖ０〜Ｖ５を出力する場合、各液晶セルの走査電極や信号電極の電位切り替え時に電源回路が出力する駆動電圧Ｖ０〜Ｖ５がスパイク状に変動してしまう。そのため、各電圧Ｖ０〜Ｖ５に対応する電圧出力端のコンデンサの容量を大きくしなければならない等の問題があった。
【００１９】
本発明は、液晶表示装置を駆動する場合に、電源回路に定電圧を供給する電源装置の負荷を軽減することを目的とする。また、駆動電圧を供給する電源回路の負荷を軽減することを目的とする。
【００２０】
【課題を解決するための手段】
本発明の態様１は、複数の走査電極と複数の信号電極との間に少なくとも二つの安定状態を呈するメモリ性液晶を有する液晶セルが複数備えられ、複数の電圧出力端子を有する走査電極ドライバが複数備えられ、複数の電圧出力端子を有する信号電極ドライバが複数備えられ、各液晶セルの個々の走査電極は対応する走査電極ドライバの各電圧出力端子と一対一に接続され、各液晶セルの個々の信号電極は対応する信号電極ドライバの各電圧出力端子と一対一に接続されてなる液晶表示装置の駆動方法であって、各走査電極ドライバが共通の選択期間でそれぞれ対応する液晶セルの走査電極を選択しながら、各液晶セルの表示をいったん所定の基本状態にしてから表示データを書き込むように駆動し、選択期間をＴｓ（ｍｓ）とし、一つの液晶セルの表示を基本状態にし始めてから表示データの書き込みを完了するまでの期間にその一つの液晶セルの走査電極を選択する回数をＱとし、ｋを０以上Ｑ−１以下の整数とし、それぞれの液晶セルにおける選択走査電極を切り替えるタイミングと、他の液晶セルにおける選択走査電極を切り替えるタイミングとの間の時間差をＤ（ｍｓ）とすると、下記式１を満足することを特徴とする液晶表示装置の駆動方法を提供する。
【００２１】
ｋ×Ｔｓ＋０．０２ｍｓ≦Ｄ≦（ｋ＋１）×Ｔｓ−０．０２ｍｓ　（式１）
【００２２】
本発明の態様２は、積層する液晶セルの数をＳ個としたときに、時間差はＴｓ／Ｓ（ｍｓ）である液晶表示装置の駆動方法を提供する。
【００２３】
本発明の態様３は、複数の走査電極と複数の信号電極との間に少なくとも二つの安定状態を呈するメモリ性液晶を有する液晶セルが複数備えられ、複数の電圧出力端子を有する走査電極ドライバが複数備えられ、複数の電圧出力端子を有する信号電極ドライバが複数備えられ、各液晶セルの個々の走査電極は対応する走査電極ドライバの各電圧出力端子と一対一に接続され、各液晶セルの個々の信号電極は対応する信号電極ドライバの各電圧出力端子と一対一に接続されてなる液晶表示装置の駆動方法であって、各走査電極ドライバが共通の選択期間でそれぞれ対応する液晶セルの走査電極を選択しながら、各液晶セルの表示をいったん所定の基本状態にしてから表示データを書き込むように駆動し、個々の液晶セルでは選択した走査電極の電位と信号電極の電位との高低関係を選択期間内で逆転させ、高低関係を逆転させる周期をＴｃ（ｍｓ）とし、一つの液晶セルの表示を基本状態にし始めてから表示データの書き込みを完了するまでの期間における周期の数をＲとし、ｋを０以上Ｒ−１以下の整数とし、それぞれの液晶セルにおける選択走査電極を切り替えるタイミングと、他の液晶セルにおける選択走査電極を切り替えるタイミングとの間の時間差をＤ（ｍｓ）とすると、下記式２を満足することを特徴とする液晶表示装置の駆動方法を提供する。
【００２４】
ｋ×Ｔｃ＋０．０２ｍｓ≦Ｄ≦（ｋ＋１）×Ｔｃ−０．０２ｍｓ　（式２）
【００２５】
本発明の態様４は、積層する液晶セルの数をＳ個としたときに、時間差はＴｃ／Ｓ（ｍｓ）である液晶表示装置の駆動方法を提供する。
【００２６】
本発明の態様５は、複数の走査電極と複数の信号電極との間に少なくとも二つの安定状態を呈するメモリ性液晶を有する液晶セルが複数備えられ、複数の電圧出力端子を有する走査電極ドライバが複数備えられ、複数の電圧出力端子を有する信号電極ドライバが複数備えられ、各液晶セルの個々の走査電極は対応する走査電極ドライバの各電圧出力端子と一対一に接続され、各液晶セルの個々の信号電極は対応する信号電極ドライバの各電圧出力端子と一対一に接続されてなる液晶表示装置の駆動方法であって、複数の液晶セルを複数のグループに分け、同じグループに属する液晶セルの走査電極および信号電極の電位の切り替えを同時に行い、各走査電極ドライバが共通の選択期間でそれぞれ対応する液晶セルの走査電極を選択しながら、各液晶セルの表示をいったん所定の基本状態にしてから表示データを書き込むように駆動し、選択期間をＴｓ（ｍｓ）とし、一つの液晶セルの表示を基本状態にし始めてから表示データの書き込みを完了するまでの期間にその一つの液晶セルの走査電極を選択する回数をＱとし、ｋを０以上Ｑ−１以下の整数とし、それぞれのグループにおける選択走査電極を切り替えるタイミングと、他のグループにおける選択走査電極を切り替えるタイミングとの間の時間差をＤ（ｍｓ）とすると、式１を満足することを特徴とする液晶表示装置の駆動方法を提供する。
【００２７】
本発明の態様６は、グループの数をＰ個としたときに、時間差はＴｓ／Ｐ（ｍｓ）である液晶表示装置の駆動方法を提供する。
【００２８】
本発明の態様７は、複数の走査電極と複数の信号電極との間に少なくとも二つの安定状態を呈するメモリ性液晶を有する液晶セルが複数備えられ、複数の電圧出力端子を有する走査電極ドライバが複数備えられ、複数の電圧出力端子を有する信号電極ドライバが複数備えられ、各液晶セルの個々の走査電極は対応する走査電極ドライバの各電圧出力端子と一対一に接続され、各液晶セルの個々の信号電極は対応する信号電極ドライバの各電圧出力端子と一対一に接続されてなる液晶表示装置の駆動方法であって、複数の液晶セルを複数のグループに分け、同じグループに属する液晶セルの走査電極および信号電極の電位の切り替えを同時に行い、各走査電極ドライバが共通の選択期間でそれぞれ対応する液晶セルの走査電極を選択しながら、各液晶セルの表示をいったん所定の基本状態にしてから表示データを書き込むように駆動し、個々の液晶セルでは選択した走査電極の電位と信号電極の電位との高低関係を選択期間内で逆転させ、高低関係を逆転させる周期をＴｃ（ｍｓ）とし、一つの液晶セルの表示を基本状態にし始めてから表示データの書き込みを完了するまでの期間における周期の数をＲとし、ｋを０以上Ｒ−１以下の整数とし、それぞれのグループにおける選択走査電極を切り替えるタイミングと、他のグループにおける選択走査電極を切り替えるタイミングとの間の時間差をＤ（ｍｓ）とすると、式２を満足することを特徴とする液晶表示装置の駆動方法を提供する。
【００２９】
本発明の態様８は、グループの数をＰ個としたときに、時間差はＴｃ／Ｐ（ｍｓ）である液晶表示装置の駆動方法を提供する。
【００３０】
【発明の実施の形態】
以下、本発明の実施の形態を図面を参照して説明する。
図１は、本発明による駆動方法が適用される液晶表示装置の駆動装置の例を示すブロック図である。液晶表示装置は、積層される２以上の液晶セルを備える。本例では、二つの液晶セル（第一の液晶セル１および第二の液晶セル１１）が積層される場合を例に説明する。第一の液晶セル１および第二の液晶セル１１は、複数の走査電極と複数の信号電極との間にカイラルネマチック液晶等のメモリ性液晶を備える。
【００３１】
各液晶セルに対応する走査電極ドライバおよび信号電極ドライバ（第一の走査電極ドライバ２、第一の信号電極ドライバ３、第二の走査電極ドライバ１２および第二の信号電極ドライバ１３）は、それぞれ複数の電圧出力端子を有する。第一の液晶セル１の個々の走査電極は、第一の走査電極ドライバ２の個々の電圧出力端子と一対一に接続される。第一の液晶セル１の個々の信号電極は、第一の信号電極ドライバ３の個々の電圧出力端子と一対一に接続される。同様に、第二の液晶セル１１の走査電極および信号電極も、それぞれ第二の走査電極ドライバ１２、第二の信号電極ドライバ１３に接続される。
【００３２】
第一の走査電極ドライバ２は、走査電極を選択しながら全ての走査電極を走査するように第一の液晶セル１を駆動する。第一の信号電極ドライバ３は、リセット期間中は、第一の液晶セル１の信号電極にオン表示（所定の基本状態）とするための電圧を印加して、第一の液晶セル１を駆動する。また、表示書き込み期間中は、第一の液晶セル１の信号電極に表示データに対応する電圧を印加して第一の液晶セル１を駆動する。第二の走査電極ドライバ１２および第二の信号電極ドライバ１３は、第一の走査電極ドライバ２および第一の信号電極ドライバ３と同様に、第二の液晶セル１１を駆動する。
【００３３】
メモリ２１は、各行に対応する表示データを記憶し、コントローラ２２の制御に従って、第一の信号電極ドライバ３と第二の信号電極ドライバ１３に一行分の表示データを出力する。コントローラ２２は、メモリ２１が出力すべき一行分の表示データのアドレスを指定するメモリ制御信号をメモリ２１に出力する。コントローラ２２は、選択行に応じたアドレスを指定する。メモリ２１は、メモリ制御信号に応じて第一の液晶セル１の一行分の表示データであるＤａｔａ１を第一の信号電極ドライバ３に出力し、第二の液晶セル１１の一行分の表示データであるＤａｔａ２を第二の信号電極ドライバ１３に出力する。以下、コントローラ２２が第一の走査電極ドライバ２および第一の信号電極ドライバ３に出力するデータ等は「１」の添え字を付して表し、第二の走査電極ドライバ１２および第二の信号電極ドライバ１３に出力するデータ等は「２」の添え字を付して表す。
【００３４】
コントローラ２２は、第一の信号電極ドライバ３に、一行分の表示データの中から各列のデータを順次取得するタイミングを規定するＣＰ１（データ転送用クロックパルス）、選択する走査電極の切り替えを示すＬＰ１（ラッチパルス）、非表示指示信号である／ＤＯＦＦ１（ディスプレイオフ）、および正極性駆動にすべきか負極性駆動にすべきかを指示するＭ１（極性反転信号）を出力する。コントローラ２２は、第二の信号電極ドライバ１３にも同様に、ＣＰ２（データ転用クロックパルス）、ＬＰ２（ラッチパルス）、／ＤＯＦＦ２（ディスプレイオフ）、およびＭ２（極性反転信号）を出力する。ここで、正極性駆動とは、選択した走査電極の電位が信号電極の電位より高くなるように駆動することをいい、負極性駆動とは、選択した走査電極の電位が信号電極の電位より低くなるように駆動することをいう。
【００３５】
さらに、コントローラ２２は、第一の走査電極ドライバ２に、ＬＰ１、／ＤＯＦＦ１、Ｍ１、および１フレームの開始を示すＦＬＭ１（ファーストラインマーカ）を出力する。そして、第二の走査電極ドライバ１２にも同様に、ＬＰ２、／ＤＯＦＦ２、Ｍ２、およびＦＬＭ２を出力する。
【００３６】
図２（ａ）は、駆動時に走査電極ドライバに入力される信号のタイミングを示す説明図である。第一の走査電極ドライバ２は、ＦＬＭ１が入力されると、それに続いて入力されるＬＰ１に応じて選択する走査電極を順次切り替える。ＬＰ１が入力されてから、次のＬＰ１が入力されるまでの期間が、一つの走査電極の選択期間である。また、第一の走査電極ドライバ２は、Ｍ１に応じて正極性駆動と負極性駆動とを切り替える。例えば、Ｍ１がローレベルのときに負極性駆動とし、ハイレベルのときに正極性駆動とする。
【００３７】
第一の走査電極ドライバ２および第一の信号電極ドライバ３は、／ＤＯＦＦ１がローレベルになると出力を０Ｖとする。第二の走査電極ドライバ１２および第二の信号電極ドライバ１３は、／ＤＯＦＦ２がローレベルになると出力を０Ｖとする。
【００３８】
図２（ｂ）は、駆動時に信号電極ドライバに入力される信号のタイミングを示す説明図である。第一の信号電極ドライバ３は、ＣＰ１が入力されると、そのタイミングで、これから選択される１行分の表示データの中から各列のデータを順次取得する。続いて、ＬＰ１が入力されると、取得したデータに基づいて各信号電極の電位を設定する。第一の信号電極ドライバ３も、Ｍ１に応じて正極性駆動と負極性駆動とを切り替える。
【００３９】
図２では、第一の走査電極ドライバ２および第一の信号電極ドライバ３を例に説明したが、第二の走査電極ドライバ１２および第二の信号電極ドライバ１３にも同様に信号が入力される。コントローラ２２は、ＦＬＭ２を出力してから最初のＬＰ２を出力するまでの時間が、ＦＬＭ１を出力してから最初のＬＰ１を出力するまでの時間と等しくなるようにＬＰ２を出力する。コントローラ２２は、第二の液晶セルにおける選択期間（ＬＰ２を出力してから次のＬＰ２を出力するまでの時間）と、第一の液晶セルにおける選択期間（ＬＰ１を出力してから次のＬＰ１を出力するまでの時間）とを等しくする。また、コントローラ２２は、ＬＰ２を出力してからＣＰ２を出力するまでの時間と、ＬＰ１を出力してからＣＰ１を出力するまでの時間とを等しくする。さらに、コントローラ２２は、ＣＰ２を出力してから次のＣＰ２を出力するまでの時間と、ＣＰ１を出力してから次のＣＰ１を出力するまでの時間とを等しくする。また、Ｍ１のハイレベルおよびローレベルを切り替える周期と、Ｍ２のハイレベルおよびローレベルを切り替える周期も等しくする。
【００４０】
さらに、コントローラ２２は、第一の液晶セル１における１フレーム期間と第二の液晶セル１１における１フレーム期間が等しくなるようにＦＬＭ１，ＦＬＭ２を出力する。すなわち、ＦＬＭ１を出力してから次のＦＬＭ１を出力するまでの時間と、ＦＬＭ２を出力してから次のＦＬＭ２を出力するまでの時間とを等しくする。１フレーム期間Ｔｆは、第１行目の走査電極を選択してから次に第１行目の走査電極を選択するまでの時間である。
【００４１】
ただし、コントローラ２２は、ＦＬＭ１を出力するタイミングとＦＬＭ２を出力するタイミングとをずらし、ＬＰ１とＬＰ２を出力するタイミングやＣＰ１とＣＰ２を出力するタイミングをずらす。例えば、コントローラ２２は、ＦＬＭ１を出力し、その後ＬＰ１やＣＰ１等の信号を出力する。そして、ＦＬＭ１を出力してから時間経過をカウントする。コントローラ２２は、ＦＬＭ１を出力して所定時間が経過してから、ＦＬＭ２を出力し、その後ＬＰ２やＣＰ２を出力する。ＦＬＭ１の出力からＦＬＭ２の出力まで所定時間分のずれがあるので、ＬＰ１を出力してからＬＰ２を出力するまでにも所定時間分のずれが生じる。ＦＬＭ１出力とＦＬＭ２出力の時間差は、例えば０．０２ｍｓ以上である。
【００４２】
第一の走査電極ドライバ２および第一の信号電極ドライバ３による第一の液晶セル１の駆動と、第二の走査電極ドライバ１２および第二の信号電極ドライバ１３による第二の液晶セル１１の駆動とは、ファーストラインマーカやラッチパルス等の入力タイミングがずれる点以外は完全に同じである。
【００４３】
図１に示す電源装置２６は、第一の電源回路２３と第二の電源回路２４に定電圧Ｖｃｃを供給する。電源装置２６は、定電圧Ｖｃｃの出力端にコンデンサ２５を備える。コンデンサ２５は、定電圧Ｖｃｃがスパイク状に変動したとしても安定に電圧を供給できるようにする役割を果たす。第一の電源回路２３は、第一の走査電極ドライバ２および第一の信号電極ドライバ３に駆動電圧を出力する。同様に第二の電源回路２４は、第二の走査電極ドライバ１２および第二の信号電極ドライバ１３に駆動電圧を出力する。ここでは、第一の液晶セル１の駆動電圧がＶ０〜Ｖ５であり、第二の液晶セル１１の駆動電圧がＶ０’〜Ｖ５’であるものとする。
【００４４】
図３は、第一の電源回路２３および第二の電源回路２４の構成例を示す説明図である。第一の電源回路２３は一つの電源回路であり、供給される電圧を分圧する抵抗部（抵抗４３〜４７）と、分圧した電圧が入力される複数の演算増幅器（以下、オペアンプと記す。）５２〜５６との組み合わせを一組備える。また、第一の電源回路２３は、抵抗部（抵抗４３〜４７）に供給する電圧値を決定する非反転増幅回路部を備える。非反転増幅回路部は、オペアンプ５１と抵抗４１，４２とを備える。抵抗４１はオペアンプ５１の反転入力端子と接地電位の間に接続され、抵抗４２はオペアンプ５１の出力端子と反転入力端子の間に接続される。第二の電源回路２４も一つの電源回路であり、供給される電圧を分圧する抵抗部（抵抗６３〜６７）と、分圧した電圧が入力される複数のオペアンプ７２〜７６との組み合わせを一組備える。また、第一の電源回路２３と同様に、抵抗部（抵抗６３〜６７）に供給する電圧を決定する非反転増幅回路部（オペアンプ７１および抵抗６１，６２）を備える。
【００４５】
第一の電源回路２３および第二の電源回路２４は、定電圧Ｖｃｃと接地電位から駆動電圧Ｖ０〜Ｖ５またはＶ０’〜Ｖ５’を発生し、それぞれ対応する走査電極ドライバおよび信号電極ドライバに供給する。第一の電源回路２３において、オペアンプ５１は、出力端子と反転入力端子の間に接続された抵抗４２と、反転入力端子と接地電位の間に接続された抵抗４１の抵抗値に応じて、電圧Ｖ５ｉｎを発生する。電圧Ｖ５ｉｎと電圧Ｖ０（接地電位に相当）との間の電圧は抵抗４３〜４７によって分圧され、電圧Ｖ５ｉｎ〜Ｖ１ｉｎが発生する。ここで、一般には、電圧Ｖ０は接地電位と同一である。
【００４６】
抵抗４３〜４７の分圧回路は液晶セルを駆動する電流能力が小さいので、ボルテージフォロワ接続されたオペアンプ５２〜５６によって駆動能力が上げられる。すなわち、電圧Ｖ５ｉｎ〜Ｖ１ｉｎがボルテージフォロワ接続されたオペアンプ５２〜５６の非反転入力端子に入力される。そして、オペアンプ５２〜５６の出力電圧が電圧Ｖ５〜Ｖ１として第一の走査電極ドライバ２や第一の信号電極ドライバ３に出力される。分圧で得られた電圧Ｖ５ｉｎ〜Ｖ１ｉｎは、それぞれ電圧Ｖ５〜Ｖ１と同じである。抵抗４３〜４７は、以下の各条件を満足するように定められる。Ｖ５−Ｖ４＝Ｖ１−Ｖ０＝Ｖ４−Ｖ３＝Ｖ２−Ｖ１が成立しするように定められる。また、Ｖ５−Ｖ２およびＶ３−Ｖ０がメモリ性液晶をフォーカルコニックに移行させる電圧となり、Ｖ５−Ｖ４，Ｖ１−Ｖ０，Ｖ４−Ｖ３，Ｖ２−Ｖ１がメモリ性液晶に変化を与えない電圧となるように定められる。
【００４７】
第二の電源回路２４も、第一の電源回路２３と同様に、電圧Ｖ０’〜Ｖ５’を出力する。電圧Ｖ０’は接地電位に相当する。
【００４８】
なお、電圧Ｖ５，Ｖ５’は、正極性駆動時に選択された走査電極に印加され、また、負極性駆動時にオン表示とする信号電極に印加される電圧である。電圧Ｖ４，Ｖ４’は、負極性駆動時に選択されていない走査電極に印加される電圧である。電圧Ｖ３，Ｖ３’は、負極性駆動時にオフ表示とする信号電極に印加される電圧である。電圧Ｖ２，Ｖ２’は、正極性駆動時にオフ表示とする信号電極に印加される電圧である。電圧Ｖ１，Ｖ１’は、正極性駆動時に選択されていない走査電極に印加される電圧である。電圧Ｖ０，Ｖ０’は、負極性駆動時に選択された走査電極に印加され、また、正極性駆動時にオン表示とする信号電極に印加される電圧である。
【００４９】
また、第一の電源回路２３および第二の電源回路２４は、それぞれ電圧Ｖ１〜Ｖ５、電圧Ｖ１’〜Ｖ５’の出力端に電圧を安定に出力するためのコンデンサを備える。図３では、このコンデンサの図示を省略した。
【００５０】
図４は、コントローラ２２が出力する信号と駆動波形の関係を示す説明図である。図４は、ＦＬＭ１を出力した後、負極性駆動と正極性駆動とを切り替える周期（Ｍ１のハイレベルとローレベルとを切り替える周期）の１／２の時間だけ遅れてＦＬＭ２を出力する場合の例を示す。
【００５１】
コントローラ２２は、／ＤＯＦＦ１をハイレベルとし、第一の走査電極ドライバ２にＦＬＭ１を出力する。そして、第一の走査電極ドライバ２および第一の信号電極ドライバ３にＬＰ１を出力する。第一の走査電極ドライバ２は、ＦＬＭ１が入力された後、ＬＰ１が入力される度に、選択する走査電極を順次切り替える。第一の信号電極ドライバ３は、ＬＰ１が入力されると、選択される行のデータに基づいて第一の液晶セル１の各信号電極の電位を設定する。従って、第一の走査電極ドライバ２および第一の信号電極ドライバ３は、ＬＰ１が入力されたときに、走査電極および信号電極の電位を切り替える。
【００５２】
第一の走査電極ドライバ２は、Ｍ１に応じて、選択する走査電極にＶ０，Ｖ５の電位を交互に設定する。また、選択していない走査電極にＶ４，Ｖ１の電位を交互に設定する。また、第一の信号電極ドライバ３は、リセット期間中、信号電極の電位をＭ１に応じてＶ５，Ｖ０に交互に設定することによって、選択された行の画素をオン表示とする。すなわち、リセット期間中、選択行の画素のメモリ性液晶には、Ｖ５−Ｖ０の電圧が印加され、電圧印加終了後、メモリ性液晶はプレナー状態に移行し、オン表示となる。リセット期間中、選択されていない行の画素のメモリ性液晶には、Ｖ５−Ｖ４，Ｖ１−Ｖ０が印加されるが、表示状態は変化しない。
【００５３】
Ｍ１がローレベルの期間が負極性駆動の期間であり、この期間では、走査電極をＶ０またはＶ４に設定し、信号電極をＶ５に設定する。Ｍ１がハイレベルの期間が正極性駆動の期間であり、この期間では、走査電極をＶ５またはＶ１に設定し、各信号電極をＶ０に設定する。図４では、負極性駆動と正極性駆動とを切り替える周期をＴｃとして示す。ただし、この切替周期Ｔｃは、選択期間をＴｓ、自然数をｍと表したときに、Ｔｃ＝Ｔｓ／ｍという関係を満たしているものとする。従って、切替周期Ｔｃは選択期間Ｔｓ以下である。図４では、Ｔｃ＝Ｔｓ／２である場合の例を示す。液晶セルの個数をＳ個とするとき、コントローラ２２は、ＦＬＭ１を出力してからＴｃ／Ｓの時間が経過すると、／ＤＯＦＦ２をハイレベルとし、第二の走査電極ドライバ１２にＦＬＭ２を出力する。ただし、Ｔｃ／Ｓは、例えば０．０２ｍｓ以上である。また、切替周期Ｔｃ、選択期間をＴｓおよびＴｃ／Ｓはｍｓ単位で表されているものとする。
【００５４】
本実施の形態における液晶セルの個数は２個であるので、コントローラ２２はＦＬＭ１を出力してＴｃ／２経過したときにＦＬＭ２を出力する。そして、第二の走査電極ドライバ１２および第二の信号電極ドライバ１３にＬＰ２を出力する。コントローラ２２は、ＦＬＭ２の出力をＦＬＭ１の出力よりＴｃ／２遅らせるので、各ＬＰ２も各ＬＰ１よりＴｃ／２遅らせて出力する。ＦＬＭ２やＬＰ２が入力された第二の走査電極ドライバ１２や第二の信号電極ドライバ１３が第二の液晶セル１１を駆動するときの動作は、第一の走査電極ドライバ２および第一の信号電極ドライバ３が第一の液晶セル１を駆動するときの動作と同様である。
【００５５】
第一の液晶セル１でのリセット期間が終了すると、続く表示書き込み期間において、第一の信号電極ドライバ３は、選択された行の表示データに応じて各信号電極の電位を設定する。選択された行においてオン表示とすべき信号電極には、Ｍ１に応じてＶ５，Ｖ０の電位を交互に設定する。また、オフ表示とすべき信号電極には、Ｍ１に応じてＶ３，Ｖ２の電位を交互に設定する。この結果、選択された行のオン表示とすべき画素のメモリ性液晶にはＶ５−Ｖ０の電圧が印加され、オン表示となる。また、オフ表示とすべき画素のメモリ性液晶にはＶ３−Ｖ０，Ｖ５−Ｖ２の電圧が印加され、オフ表示となる。表示書き込み期間中、選択されていない行の画素のメモリ性液晶には、Ｖ５−Ｖ４，Ｖ１−Ｖ０，Ｖ４−Ｖ３，Ｖ２−Ｖ１が印加されるが、表示状態は変化しない。
【００５６】
第二の液晶セル１１でのリセット期間が終了すると、続く表示書き込み期間において、第二の走査電極ドライバ１２および第二の信号電極ドライバ１３は、第一の走査電極ドライバ２および第一の信号電極ドライバ３と同様に動作する。リセット期間と同様に、コントローラ２２はＦＬＭ２の出力をＦＬＭ１の出力よりＴｃ／２遅らせるので、各ＬＰ２も各ＬＰ１よりＴｃ／２遅らせて出力する。
【００５７】
第一の液晶セル１における表示書き込み期間が終了すると、コントローラ２２は／ＤＯＦＦ１をローレベルとし、第一の液晶セル１の駆動を停止する。コントローラ２２は、第二の液晶セル２における表示書き込み期間が終了したときも同様に／ＤＯＦＦ２をローレベルとし、第二の液晶セル１１の駆動を停止する。駆動を停止してもメモリ性液晶の状態は安定に保たれるので、表示書き込み期間に書き込んだ状態は維持される。
【００５８】
このように、コントローラ２２は、リセット期間および表示書き込み期間においてＬＰ２の出力をＬＰ１の出力よりＴｃ／２遅らせる。すなわち、各液晶セルで、選択する走査電極を切り替えるタイミングをずらしている。従って、第一の液晶セル１において走査電極および信号電極の電位を切り替えるタイミングと、第二の液晶セル１１において走査電極および信号電極の電位を切り替えるタイミングも図４に示すようにＴｃ／２ずれる。その結果、電源装置２６が供給する定電圧Ｖｃｃがスパイク状に変動するタイミングもずれる。図５は、電源装置２６の負荷を示す説明図である。第一の液晶セル１を駆動するときに、走査電極および信号電極の電位を切り替えると、電源装置２６が供給する定電圧Ｖｃｃは図５（ａ）示すように変化する。第二の液晶セル１１を駆動するときにも同様に、電源装置２６が供給する定電圧Ｖｃｃは変化する（図５（ｂ））。しかし、走査電極および信号電極の電位を切り替えるタイミングをずらしているので、定電圧Ｖｃｃが変動するタイミングも分散され、図１０に示す場合よりも負荷（Ｖｃｃの変動量の最大値）が軽減される。
【００５９】
従って、定電圧Ｖｃｃが一時的に下がってしまうことを考慮して予め定電圧Ｖｃｃを高めに定める必要がない。また、電圧Ｖｃｃ出力端のコンデンサ２５の容量は少なくて済む。また、電源装置２６を選定しやすくなる。また、スパイク状に減少する定電圧Ｖｃｃの変動量を抑えることができるので、オーバシュートによって無駄に流れる電流を少なくすることができる。さらに、定電圧Ｖｃｃを低くすることができるので、駆動装置の長寿命化を図ることができる。また、電源装置２６を選定しやすくなるので、駆動装置の生産コストの低減を図ることができる。
【００６０】
図５では、第一の液晶セルの駆動に伴い電源装置２６の出力電圧がスパイク状に減少し、再び出力電圧がＶｃｃに戻ってから、第二の液晶セルの駆動に伴う出力電圧の変動が生じる場合を示した。ＬＰ１を出力してからＬＰ２を出力するまでの時間が短く、第一の液晶セルの駆動に伴ってスパイク状に変動した電源装置２６の出力電圧が完全にＶｃｃに戻る前に、第二の液晶セルの駆動に伴う出力電圧の変動が生じてもよい。ただし、ＬＰ１を出力してからＬＰ２を出力するまでの時間が０．０２ｍｓ未満であると、スパイク状に変動した電源装置２６の出力電圧がほとんど回復しないうちに次のスパイク状の変動が生じることになり、電源装置２６の出力電圧の変動量は従来の駆動方法と変わらなくなってしまう。また、スパイク状に変動した電源装置２６の出力電圧が十分回復しないうちに次のスパイク状の変動が生じると、第二の液晶セルの駆動波形が不安定になるおそれがある。従って、ＬＰ１を出力してからＬＰ２を出力するまでの時間は０．０２ｍｓ以上にすることが好ましい。
【００６１】
図４に示す例では、リセット期間において液晶セルの全画素をオン表示とする場合を示した。リセット期間では、各液晶セルをオン表示とした後に、各液晶セルの全画素をオフ表示としてもよい。すなわち、オフ表示を所定の基本状態としてもよい。このように、所定の基本状態は、オン表示に限定されない。
【００６２】
本実施の形態では、二つの液晶セルを積層した場合を例に説明したが、液晶セルの数は二つに限定されず、三つ以上であってもよい。例えば、三つの液晶セルを積層する場合、第一の液晶セルの駆動のためのＬＰを出力してからＴｃ／３遅れて第二の液晶セルの駆動のためのＬＰを出力し、さらにＴｃ／３遅れて第三の液晶セルの駆動のためのＬＰを出力すればよい。
【００６３】
Ｓ個の液晶セルを積層する場合、Ｓ個の液晶セルを、走査電極および信号電極の電位の切り替えを同時に行う液晶セルのグループに分け、同じグループに属する液晶セルの走査電極および信号電極の電位の切り替えを同時に行うようにしてもよい。一つのグループに属する液晶セルの数は一つでもよいし、２ないしＳ−１個であってもよい。走査電極および信号電極の電位の切り替えを同時に行う液晶セルのグループの数をＰ個とすれば、コントローラはＬＰの出力タイミングを各グループ毎にＴｃ／Ｐずらせばよい。Ｔｃ／Ｐも切替周期Ｔｃと同様にｍｓ単位で表されているものとする。ただし、Ｔｃ／Ｐは、例えば０．０２ｍｓ以上である。三つの液晶セルを積層した場合を例に説明する。第一の液晶セルにおける各電極（各走査電極および各信号電極）の電位の切り替えタイミングは、第二の液晶セルおよび第三の液晶セルにおける電位の切り替えタイミングとずらし、第二の液晶セルおよび第三の液晶セルは各電極の電位の切り替えを同時に行うものとする。この場合、第一の液晶セルが一つのグループに属し、第二液晶セルおよび第三の液晶セルが二つ目のグループに属することになる。従って、コントローラは、一つ目のグループ（第一の液晶セル）の駆動のためのＬＰを出力してからＴｃ／２経過後に二つ目のグループ（第二の液晶セルおよび第三の液晶セル）を駆動するためのＬＰを出力すればよい。
【００６４】
このような駆動方法によれば、走査電極および信号電極の電位の切り替えをＳ個の液晶セルで同時に行う場合よりも、定電圧Ｖｃｃを供給する電源装置の負荷を低減できる。なお、走査電極および信号電極の電位の切り替えタイミングを各液晶セル毎にずらすことがより好ましい。
【００６５】
また、上記の各実施の形態では、選択期間Ｔｓとの間にＴｃ＝Ｔｓ／ｍ（ｍは自然数）という関係を有する切替周期Ｔｃで正極性駆動と負極性駆動とを切り替える場合について説明した。液晶表示装置を駆動する際に、正極性駆動と負極性駆動とを切り替えない場合や、あるいは切替周期ＴｃをＴｆ（１フレーム期間）よりも長くする場合がある。このような場合には、走査電極および信号電極を切り替えるタイミングをＴｓ／Ｓだけずらせばよい。Ｓは積層される液晶セルの個数である。Ｔｓ／Ｓも選択期間Ｔｓと同様にｍｓ単位で表されているものとする。ただし、Ｔｓ／Ｓは、例えば０．０２ｍｓ以上である。
【００６６】
図６は、正極性駆動と負極性駆動とを切り替えずに駆動する場合における駆動波形の例を示す説明図である。ただし、積層されている液晶セルの個数は２個であるとする。この場合、コントローラは、第一の液晶セルの駆動のためにＬＰ１を出力してからＴｓ／２遅らせてＬＰ２を出力すればよい。この結果、第一の液晶セルと第二の液晶セルとでは、走査電極および信号電極の電位を切り替えるタイミングがＴｓ／２ずれる。従って、定電圧Ｖｃｃが変動するタイミングも分散される。
【００６７】
Ｓ個の液晶セルを積層する場合、Ｓ個の液晶セルを、走査電極および信号電極の電位の切り替えを同時に行う液晶セルのグループに分け、同じグループに属する液晶セルの走査電極および信号電極の電位の切り替えを同時に行うようにしてもよい。この場合、走査電極および信号電極の電位の切り替えを同時に行う液晶セルのグループの数をＰ個とすれば、コントローラはＬＰの出力タイミングを各グループ毎にＴｓ／Ｐずらせばよい。Ｔｓ／Ｐも選択期間Ｔｓと同様にｍｓ単位で表されているものとする。ただし、Ｔｓ／Ｐは、例えば０．０２ｍｓ以上である。
【００６８】
また、図４，６に示す例では、正極性駆動と負極性駆動の切替周期Ｔｃあるいは選択期間Ｔｓを液晶セルの数Ｓ（または液晶セルのグループ数Ｐ）で均等に分割し、分割した期間毎にいずれかの液晶セル（または液晶セルのグループ）にＬＰを出力する場合を示した。次の液晶セルまたは次のグループに対してＬＰを出力するまでの時間を、切替周期Ｔｃあるいは選択期間Ｔｓを均等に分割した時間とはせずに、液晶セルの数（またはグループ数）に関わりなく定めてもよい。ただし、この時間差は、０．０２ｍｓ以上Ｔｓ−０．０２ｍｓ以下とする。選択期間Ｔｓ内で正極性駆動と負極性駆動の切り替えを行う場合には、０．０２ｍｓ以上Ｔｃ−０．０２ｍｓ以下とする。
【００６９】
また、各液晶セル（または液晶セルの各グループ）を駆動するためのＬＰの出力の時間差は、選択期間未満であることが好ましいが、選択期間より長くてもよい。この場合、ＬＰの出力の時間差をＤ（ｍｓ）、ｋを０以上の自然数としたときに、以下に示す式１を満足するように時間差Ｄを定める。
【００７０】
ｋ×Ｔｓ＋０．０２ｍｓ≦Ｄ≦（ｋ＋１）×Ｔｓ−０．０２ｍｓ　（式１）
【００７１】
また、選択期間Ｔｓ内で正極性駆動と負極性駆動の切り替えを行う場合には、以下に示す式２を満足するようにＬＰの出力の時間差Ｄ（ｍｓ）を定める。
【００７２】
ｋ×Ｔｃ＋０．０２ｍｓ≦Ｄ≦（ｋ＋１）×Ｔｃ−０．０２ｍｓ　（式２）
【００７３】
以下に示す式３または式４を満足する値として電位切り替えの時間差Ｄ（ｍｓ）を定めると、各液晶セルで選択される行は異なっていても電位切り替えのタイミングが０．０２ｍｓ以内に近づいてしまう。
【００７４】
ｋ×Ｔｓ−０．０２ｍｓ＜Ｄ＜ｋ×Ｔｓ＋０．０２ｍｓ　（式３）
【００７５】
ｋ×Ｔｃ−０．０２ｍｓ＜Ｄ＜ｋ×Ｔｃ＋０．０２ｍｓ　（式４）
【００７６】
また、この時間差が大きすぎると、一つの液晶セル（または一つのグループ）における表示書き込み期間が終了しているにも関わらず、他の液晶セル（または他のグループ）ではリセット期間が開始されない場合が生じる。この場合、所望の表示の書き込みが完了するまでに時間がかかってしまう。そのため、一つの液晶セル（または一つのグループ）における表示書き込み期間が終了する前に、他の液晶セル（または他のグループ）ではリセット期間が開始することが好ましい。従って、ｋの上限を以下の様に定める。
【００７７】
選択期間Ｔｓ内で正極性駆動と負極性駆動の切り替えを行う場合には、一つの液晶セルのリセット期間開始から表示書き込み期間終了までの期間における切替周期Ｔｃの数をＲとしたときに、ｋ≦Ｒ−１となるようにｋの上限を定める。Ｒは、リセット期間開始から表示書き込み期間終了までの期間に属する切替周期Ｔｃの数である。また、正極性駆動と負極性駆動とを切り替えない場合等には、一つの液晶セルのリセット期間開始から表示書き込み期間終了までの期間にその一つの液晶セルの走査電極を選択する回数をＱとしたときに、ｋ≦Ｑ−１となるようにｋの上限を定める。このようにｋの上限を定めれば、一つの液晶セル（または一つのグループ）における表示書き込み期間が終了する前に、他の液晶セル（または他のグループ）におけるリセット期間を開始できる。
【００７８】
所望の表示の書き込みの完了までの時間を短くするためには、各液晶セルに対するＬＰの出力の時間差を短くすればよい。また、この時間差を選択期間よりも短くすれば、各液晶セルへの表示の書き込みのずれが観察者にほとんど認識されずにすむ。
【００７９】
また、上記の実施の形態では、複数の電源回路が各液晶セル毎に異なる駆動電圧を供給する場合を示したが、各液晶セルに対応する走査電極ドライバおよび信号電極ドライバに共通の電源回路から共通の駆動電圧を出力してもよい。以下に、駆動電圧の共通化の例を示す。第一の液晶セルの液晶の選択反射波長をλ１、平均屈折率をｎ１とし、第二の液晶セルの液晶の選択反射波長をλ２、平均屈折率をｎ２とする。また、第一の液晶セルのセルギャップをｄ１とする。既に述べたように、ｎ・ｄ／λ∝Ｖｔｈという関係があるので、第二のセルギャップを（ｎ１・ｄ１・λ２）／（ｎ２・λ１）に定めれば、二つの液晶セルの駆動電圧を共通化でき、一つの電源回路から共通の駆動電圧を供給することができる。
【００８０】
このように一つの電源回路から各液晶セルの駆動電圧を供給する場合、本発明の駆動方法を適用すれば、その電源回路の出力電圧のスパイク状の変動が分散される。従って、共通化した電源回路の負荷が軽減される。例えば、一つに共通化した電源回路が駆動電圧Ｖ０〜Ｖ５を出力するとする。本発明の駆動方法を適用すれば、各液晶セルを同じタイミングで駆動する場合よりも、出力電圧Ｖ０〜Ｖ５のスパイク状の変動量を少なくできる。従って、電圧Ｖ０〜Ｖ５の電圧出力端に設けるコンデンサの容量を小さくすることができる。
【００８１】
【実施例】
［例１］セルギャップが等しい二つの液晶セルを作成した。各液晶セルのセルギャップｄは４μｍとした。一方の液晶セルには、選択反射波長λ＝４９０ｎｍのメモリ性液晶を注入し、他方の液晶セルには、選択反射波長λ＝６２０ｎｍのメモリ性液晶を注入した。セルギャップが等しく、選択反射波長が異なるので、二つの液晶セルの駆動電圧はそれぞれ異なる。λ＝４９０ｎｍのメモリ性液晶を注入した液晶セルを図１に示す第一の液晶セル１とし、λ＝６２０ｎｍのメモリ性液晶を注入した液晶セルを図１に示す第二の液晶セル１１として、図１に示す液晶表示装置を作成した。なお、各液晶セルの走査電極数が２４０本であり、信号電極数が３２０本であるＱＶＧＡ（Ｑｕａｄ　Ｖｉｄｅｏ　Ｇｒａｐｈｉｃｓ　Ａｒｒａｙ　）の液晶表示装置として作成した。また、液晶セルのサイズは１４．４８ｃｍサイズ（５．７インチサイズ）とした。
【００８２】
第一の電源回路２３には、第一の液晶セル１の駆動電圧として、Ｖ５＝２０．０Ｖ、Ｖ４＝１７．５Ｖ、Ｖ３＝１５．０Ｖ、Ｖ２＝５．０Ｖ、Ｖ１＝２．５Ｖ、Ｖ０＝０．０Ｖという電圧の組み合わせを出力させた。また、第二の電源回路２４には、第二の液晶セル１１の駆動電圧として、Ｖ５’＝１６．０Ｖ、Ｖ４’＝１４．０Ｖ、Ｖ３’＝１２．０Ｖ、Ｖ２’＝４．０Ｖ、Ｖ１’＝２．０Ｖ、Ｖ０’＝０．０Ｖという駆動電圧の組み合わせを出力させた。また、選択期間Ｔｓは２０ｍｓに設定し、負極性駆動および正極性駆動の切替周期Ｔｃは１０ｍｓ（Ｔｓ／２）とした。そして、コントローラ２２は、ＦＬＭ１を出力してから０．１ｍｓ後にＦＬＭ２を出力するように設定した。すなわち、ＬＰ１を出力してから、０．１ｍｓ後にＬＰ２を出力するように設定した。この場合、電源装置２６が供給する定電圧Ｖｃｃを２３Ｖにすることで均一な画像を書き込むことができた。また、定電圧Ｖｃｃ（２３Ｖ）がスパイク状に変動するときの変動量は２．０Ｖであり、消費電力は９５ｍＷであった。
【００８３】
［例２］各ＬＰ１の出力と各ＬＰ２の出力の時間差が５ｍｓ（切替周期Ｔｃの１／２）となるようにした点以外は、例１に示す場合と同様に液晶表示装置を駆動した。この場合、電源装置２６が供給する定電圧Ｖｃｃを２２．５Ｖまで下げても均一な画像を書き込むことができた。また、定電圧Ｖｃｃ（２２．５Ｖ）がスパイク状に変動するときの変動量は１．５Ｖであり、消費電力は９０ｍＷであった。
【００８４】
［比較例１］コントローラ２２に、各ＬＰ１と各ＬＰ２とを同時に出力させるようにした。他の設定は、例１や例２と同様とした。この場合、均一な画像を書き込むためには、電源装置２６が供給する定電圧Ｖｃｃを２４Ｖまで上げなければならなかった。また、定電圧Ｖｃｃ（２４Ｖ）がスパイク状に変動するときの変動量は２．６Ｖであり、消費電力は１００ｍＷであった。
【００８５】
［例３］例１に示す二つの液晶セルに、さらに第三の液晶セルを重ねた液晶表示装置を作成した。第三の液晶セルには選択反射波長λ＝５３０ｎｍのメモリ性液晶を注入し、セルギャップを４μｍとした。また、第三の液晶セルを駆動するための電圧として、Ｖ５’’＝１９．０Ｖ、Ｖ４’’＝１６．６Ｖ、Ｖ３’’＝１４．３Ｖ、Ｖ２’’＝４．８Ｖ、Ｖ１’’＝２．４Ｖ、Ｖ０’’＝０．０Ｖという駆動電圧の組み合わせを出力する第三の電源回路を設置した。そして、電源装置２６が３つの電源回路に定電圧Ｖｃｃを供給するようにした。例１や例２と同様に、選択期間Ｔｓは２０ｍｓに設定し、負極性駆動および正極性駆動の切替周期Ｔｃは１０ｍｓ（Ｔｓ／２）とした。また、コントローラ２２は、ＬＰ１を出力してから０．１ｍｓ後にＬＰ２を出力するように設定した。この場合、電源装置２６が供給する定電圧Ｖｃｃを２４．５Ｖにすることで均一な画像を書き込むことができた。また、定電圧Ｖｃｃ（２４．５Ｖ）がスパイク状に変動するときの変動量は２．８Ｖであり、消費電力は１５０ｍＷであった。
【００８６】
［例４］各ＬＰ１の出力と各ＬＰ２の出力の時間差が３．３ｍｓ（切替周期Ｔｃの１／３）となるようにした点以外は、例３に示す場合と同様に液晶表示装置を駆動した。この場合、電源装置２６が供給する定電圧Ｖｃｃを２３Ｖまで下げても均一な画像を書き込むことができた。また、定電圧Ｖｃｃ（２３Ｖ）がスパイク状に変動するときの変動量は１．６Ｖであり、消費電力は１４０ｍＷであった。
【００８７】
［比較例２］コントローラ２２に、各ＬＰ１と各ＬＰ２とを同時に出力させるようにした。他の設定は、例３や例４と同様とした。この場合、均一な画像を書き込むためには、電源装置２６が供給する定電圧Ｖｃｃを２６Ｖまで上げなければならなかった。また、定電圧Ｖｃｃ（２６Ｖ）がスパイク状に変動するときの変動量は３．８Ｖであり、消費電力は１６０ｍＷであった。
【００８８】
以上の例１〜４および比較例１，２の結果を表１に示す。
【００８９】
【表１】
2004013121.tif 000003
【００９０】
表１に示すΔｔは、各液晶セルに対応する走査電極ドライバおよび信号電極ドライバにＬＰを出力する際の時間差である。すなわち、各液晶セルの走査電極および信号電極の電位が切り替わるタイミングのずれを示す。また、Ｖｓｐｉｋｅは、電圧Ｖｃｃがスパイク状に変動するときの変動量である。各液晶セルの走査電極および信号電極の電位が切り替わるタイミングをずらすことで、表１に示すようにＶｓｐｉｋｅを下げることができ、定電圧Ｖｃｃを下げることができる。この結果、消費電力も下げることができる。なお、消費電力の低減の主な要因は、定電圧Ｖｃｃを低くできることにある。しかし、Ｖｓｐｉｋｅが抑えられることによりオーバシュートが少なくなる等の要因も消費電力の低減に寄与している。
【００９１】
また、例１〜４および比較例１，２では、定電圧Ｖｃｃの出力端のコンデンサの容量を変化させなかったが、例１，２および例３，４は、それぞれ比較例１および比較例２よりもＶｓｐｉｋｅが小さい。従って、例１，２および例３，４で用いた定電圧Ｖｃｃ出力端のコンデンサの容量は、比較例１および比較例２におけるコンデンサの容量よりも下げることが可能である。
【００９２】
【発明の効果】
本発明によれば、複数の電源回路に定電圧を供給する電源装置の付加を低減することができる。また、駆動電圧を共通化して電源回路を一つにする場合には、その電源回路の負荷を低減することができる。
【図面の簡単な説明】
【図１】本発明が適用される液晶表示装置の駆動装置の例を示すブロック図。
【図２】走査電極ドライバおよび信号電極ドライバに入力される信号のタイミングを示す説明図。
【図３】電源回路の構成例を示す説明図。
【図４】コントローラが出力する信号と駆動波形の関係を示す説明図。
【図５】電源装置の負荷を示す説明図。
【図６】極性を切り替えない場合の駆動波形の例を示す説明図
【図７】二つの液晶セルが積層された液晶表示装置を示す説明図。
【図８】駆動電圧を供給する電源回路を示す説明図。
【図９】従来の駆動方法における駆動波形の例を示す説明図。
【図１０】従来の駆動方法における電源装置の負荷を示す説明図。
【図１１】オーバシュートを示す説明図。
【符号の説明】
１　第一の液晶セル
２　第一の走査電極ドライバ
３　第一の信号電極ドライバ
１１　第二の液晶セル
１２　第二の走査電極ドライバ
１３　第二の信号電極ドライバ
２２　コントローラ
２３　第一の電源回路
２４　第二の電源回路
２５　コンデンサ
２６　電源装置
【図１】
2004013121.tif 000004
【図２】
2004013121.tif 000005
【図３】
2004013121.tif 000006
【図４】
2004013121.tif 000007
【図５】
2004013121.tif 000008
【図６】
2004013121.tif 000009
【図７】
2004013121.tif 000010
【図８】
2004013121.tif 000011
【図９】
2004013121.tif 000012
【図１０】
2004013121.tif 000013
【図１１】
2004013121.tif 000014